(57)【要約】    【課題】  テレビ番組を視聴中に洗濯をする場合に、視聴中のテレビ番組が終了しないうちに脱水が終了してしまうことがないようにして、乾燥後の衣服にしわが残ってしまい洗濯物の仕上がり品質が低下してしまうことのない洗濯機制御システムを提供する。    【解決手段】  視聴中の番組が終了する番組終了時刻Ｔ１を取得する番組終了時刻取得部、番組終了時刻Ｔ１から洗濯機３００における脱水時間ｔ１を考慮して洗濯機３００における脱水開始時刻Ｔ３を決定するとともに脱水開始時刻Ｔ３に基づいて脱水開始情報を生成する脱水開始情報生成部及び脱水開始情報を洗濯機に対して送信する送受信部を有する映像機器としてのテレビジョン２００と、洗濯・脱水部、脱水開始情報を受信する送受信部及びテレビジョン２００から送信された脱水開始情報に基づいて洗濯・脱水部に脱水を開始させる制御部を有する洗濯機３００とを備えることを特徴とする洗濯機制御システム１００。【選択図】  図１
2006288853.tif 000002
【特許請求の範囲】
【請求項１】
視聴中の番組が終了する番組終了時刻を取得する番組終了時刻取得部、前記番組終了時刻から洗濯機における脱水時間を考慮して洗濯機における脱水開始時刻を決定するとともに前記脱水開始時刻に基づいて脱水開始情報を生成する脱水開始情報生成部及び前記脱水開始情報を洗濯機に対して送信する送信部を有する映像機器と、
脱水部、前記脱水開始情報を受信する受信部及び前記映像機器から送信された前記脱水開始情報に基づいて前記脱水部に脱水を開始させる制御部を有する洗濯機とを備えることを特徴とする洗濯機制御システム。
【請求項２】
請求項１に記載の洗濯機制御システムにおいて、
前記脱水開始情報生成部は、現在時刻から前記番組終了時刻までの時間が前記脱水時間と同じ又はそれよりも短い場合には、現在時刻を脱水開始時刻として決定し、現在時刻から前記番組終了時刻までの時間が前記脱水時間よりも長い場合には、前記番組終了時刻から前記脱水時間を逆算して得られる時刻を脱水開始時刻として決定することを特徴とする洗濯機制御システム。
【請求項３】
請求項１又は２に記載の洗濯機制御システムにおいて、
前記映像機器は、前記脱水時間を記憶する記憶部をさらに有することを特徴とする洗濯機制御システム。
【請求項４】
請求項１又は２に記載の洗濯機制御システムにおいて、
前記映像機器は、前記洗濯機から前記脱水時間を取得する機能をさらに有することを特徴とする洗濯機制御システム。
【請求項５】
請求項１〜４のいずれかに記載の洗濯機制御システムにおいて、
前記番組終了時刻取得部は、番組が延長された場合には延長された番組終了時刻を取得する機能をさらに有することを特徴とする洗濯機制御システム。
【請求項６】
請求項５に記載の洗濯機制御システムにおいて、
前記脱水開始情報生成部は、前記洗濯機がまだ脱水を開始していない場合には、前記延長された番組終了時刻から前記脱水時間を逆算して得られる時刻を脱水開始時刻として再決定することを特徴とする洗濯機制御システム。
【請求項７】
請求項５又は６に記載の洗濯機制御システムにおいて、
前記洗濯機が既に脱水を開始している場合であって、かつ、現在時刻から前記延長された番組終了時刻までの時間が前記脱水時間よりも長い場合には、前記脱水開始情報生成部は、前記延長された番組終了時刻から前記脱水時間を逆算して得られる時刻を脱水開始時刻として再決定するとともに、脱水停止コマンド及び給水コマンドを生成し、
前記洗濯機が既に脱水を開始している場合であって、かつ、現在時刻から前記延長された番組終了時刻までの時間が前記脱水時間と同じ又はそれよりも短い場合には、前記脱水開始情報生成部は、脱水開始時刻の再決定を行わないことを特徴とする洗濯機制御システム。
【請求項８】
請求項５又は６に記載の洗濯機制御システムにおいて、
前記脱水開始情報生成部は、前記洗濯機が既に脱水を開始している場合には、脱水開始時刻の再決定を行わないことを特徴とする洗濯機制御システム。
【請求項９】
視聴中の番組が終了する番組終了時刻を取得する番組終了時刻取得部、前記番組終了時刻から洗濯機における脱水時間を考慮して洗濯機における脱水開始時刻を決定するとともに前記脱水開始時刻に基づいて脱水開始情報を生成する脱水開始情報生成部及び前記脱水開始情報を洗濯機に対して送信する送信部を有することを特徴とする映像機器。
【請求項１０】
脱水部、脱水開始情報を受信する受信部及び前記脱水開始情報に基づいて前記脱水部に脱水を開始させる制御部を有することを特徴とする洗濯機。
【請求項１１】
視聴中の番組が終了する番組終了時刻から脱水時間を考慮して脱水開始時刻を決定し、前記脱水開始時刻になったら洗濯機に脱水を開始させることを特徴とする洗濯機制御方法。
【発明の詳細な説明】
【技術分野】
【０００１】
本発明は、洗濯機制御システム、映像機器、洗濯機及び洗濯機制御方法に関する。 
【背景技術】
【０００２】
従来の洗濯機は、洗濯機の本体内に、洗濯機を制御する制御手段と、制御手段の出力により作動する終了報知手段と、終了報知手段の出力により洗濯の終了を報知する報知手段と、終了報知手段の出力によりテレビジョン、ＰＣ、電話機等に対して終了報知信号を送信する送信手段とを備えている。
【０００３】
このため、従来の洗濯機によれば、使用者が洗濯機から離れた場所に居たとしても、洗濯が終了したことを、テレビジョン、ＰＣ、電話機等を介して使用者に報知することが可能になる（例えば、特許文献１参照。）。
【０００４】
【特許文献１】特開平９−２７１５９６号公報
【発明の開示】
【発明が解決しようとする課題】
【０００５】
このような従来の洗濯機においては、脱水が終了したことをテレビジョンを介して使用者に報知したとしても、使用者がテレビ番組に夢中になりそのテレビ番組をそのまま視聴し続けてしまう場合には、衣服を干す作業は視聴中のテレビ番組が終了してから行われることになるため、乾燥後の衣服にしわが残ってしまい、洗濯物の仕上がり品質が低下してしまうという問題を解決することはできない。
【０００６】
そこで、本発明は、このような問題を解決するためになされたもので、テレビ番組を視聴中に洗濯をする場合に、視聴中のテレビ番組が終了しないうちに脱水が終了してしまうことがないようにして、乾燥後の衣服にしわが残ってしまい洗濯物の仕上がり品質が低下してしまうことのない洗濯機制御システム及び洗濯機制御方法を提供することを目的とする。また、そのような洗濯機制御システムに好適に用いることができる映像機器及び洗濯機を提供することを目的とする。
【課題を解決するための手段】
【０００７】
本発明の洗濯機制御システムは、視聴中の番組が終了する番組終了時刻を取得する番組終了時刻取得部、前記番組終了時刻から洗濯機における脱水時間を考慮して洗濯機における脱水開始時刻を決定するとともに前記脱水開始時刻に基づいて脱水開始情報を生成する脱水開始情報生成部及び前記脱水開始情報を洗濯機に対して送信する送信部を有する映像機器と、脱水部、前記脱水開始情報を受信する受信部及び前記映像機器から送信された前記脱水開始情報に基づいて前記脱水部に脱水を開始させる制御部を有する洗濯機とを備えることを特徴とする。
【０００８】
このため、本発明の洗濯機制御システムによれば、番組終了時刻から脱水時間を考慮して決定された脱水開始情報に基づいて脱水部に脱水を開始させることができるため、視聴中のテレビ番組が終了しないうちに脱水が終了してしまうことがなくなる。その結果、脱水が終了したばかりの衣服を干すことが可能になるため、乾燥後の衣服にしわが残ってしまい洗濯物の仕上がり品質が低下してしまうということがなくなり、本発明の目的が達成される。
【０００９】
本発明の洗濯機制御システムにおいては、映像機器における送信部は、脱水開始時刻になったら脱水開始コマンドを洗濯機に対して送信することとしてもよいし、脱水開始時刻が決定されたらその脱水開始時刻を洗濯機に対して予め送信することとしてもよい。
前者の場合には、脱水開始コマンドが本発明の脱水開始情報となり、後者の場合には、脱水開始時刻が本発明の脱水開始情報となる。
また、前者の場合には、洗濯機における制御部は、脱水開始コマンドを受けたらすぐに脱水部に脱水を開始させ、後者の場合には、洗濯機における制御部は、脱水開始時刻になったら脱水部に脱水を開始させる。
【００１０】
本発明の洗濯機制御システムにおいては、映像機器は、テレビジョン、チューナ、ＤＶＤ、ＶＴＲ、ＰＣ等であり、テレビジョン、チューナ、ＰＣ等においては、放送又はインターネット等を介して予め取得してある電子番組表（Electronic Program Guide）又は受信している映像情報に基づいて、視聴中の番組が終了する番組終了時刻を取得し、ＤＶＤ、ＶＴＲ等においては、再生時間から再生終了時刻を取得する。
【００１１】
本発明の洗濯機制御システムにおいて、映像機器の送信部は専ら送信のみを行う送信機能を有するものでもよいが、送信及び受信が可能な送受信機能を有するものであることがより好ましい。また、洗濯機の受信部は専ら受信のみを行う受信機能を有するものでもよいが、送信及び受信が可能な送受信機能を有するものであることがより好ましい。
【００１２】
本発明の洗濯機制御システムにおいては、映像配信装置の送信部及び洗濯機の受信部は、専用の有線又は無線の送信部及び受信部として構成してもよいが、汎用のネットワークを介した送受信部システムとすることがより好ましい。この場合、電灯線を介したネットワークとすることが配線の容易の観点からさらに好ましい。
【００１３】
なお、本発明の洗濯機制御システムにおいては、洗濯機における洗濯を行う時間やすすぎを行う時間を脱水に合わせて制御してもよいし、脱水とは別に洗濯やすすぎを行っておいてもよい。
【００１４】
本発明の洗濯機制御システムにおいては、前記脱水開始情報生成部は、現在時刻から前記番組終了時刻までの時間が前記脱水時間と同じ又はそれよりも短い場合には、現在時刻を前記脱水開始時刻として決定し、現在時刻から前記番組終了時刻までの時間が前記脱水時間よりも長い場合には、前記番組終了時刻から前記脱水時間を逆算して得られる時刻を脱水開始時刻として決定することが好ましい。
【００１５】
このように構成することにより、現在時刻から番組終了時刻までの時間（以下、番組残り時間という。）が脱水にかかる脱水時間と同じ又はそれよりも短い場合には、すぐに脱水を開始することができる。一方、番組残り時間が脱水時間よりも長い場合には、脱水開始時刻まで待ってから脱水部に脱水を開始させることができる。
【００１６】
本発明の洗濯機制御システムにおいては、前記映像機器は、前記脱水時間を記憶する記憶部をさらに有することが好ましい。
【００１７】
このように構成することにより、脱水開始時刻を決定する際に記憶部から脱水時間を取得できるようになるので、脱水開始時刻を迅速に決定することができるようになる。
【００１８】
本発明の洗濯機制御システムにおいては、前記映像機器は、前記洗濯機から前記脱水時間を取得する機能をさらに有することが好ましい。
【００１９】
洗濯機によっては、脱水時間は、洗濯物の重量等によりきめ細かく設定されることがある。そこで、上記のように構成することにより、脱水開始時刻を決定する際に、脱水時間を取得することができるため、脱水開始時刻をより適切に決定することが可能になる。
【００２０】
本発明の洗濯機制御システムにおいては、前記番組終了時刻取得部は、番組が延長された場合には延長された番組終了時刻を取得する機能をさらに有することが好ましい。
【００２１】
スポーツ番組のように、番組によっては番組の途中で番組終了時刻が延長されることがある。このような場合、延長された番組終了時刻になったときには、すでに脱水が終了してから延長時間だけ経過していることになり、これでは、乾燥後の衣服にしわが残ってしまい、発明の目的が達せられないことになる。
しかしながら、上記のように構成することにより、番組の途中で番組終了時刻が延長された場合であっても、延長された番組終了時刻に基づいて適切な洗濯機制御を行うことができる。
【００２２】
本発明の洗濯機制御システムにおいては、前記脱水開始情報生成部は、前記洗濯機がまだ脱水を開始していない場合には、前記延長された番組終了時刻から前記脱水時間を逆算して得られる時刻を脱水開始時刻として再決定することが好ましい。
【００２３】
このように構成することにより、延長された番組終了時刻に基づいて、適切な洗濯機制御を行うことができる。
【００２４】
本発明の洗濯機制御システムにおいては、前記洗濯機が既に脱水を開始している場合であって、かつ、現在時刻から前記延長された番組終了時刻までの時間が前記脱水時間よりも長い場合には、前記脱水開始情報生成部は、前記延長された番組終了時刻から前記脱水時間を逆算して得られる時刻を脱水開始時刻として再決定するとともに、脱水停止コマンド及び給水コマンドを生成し、前記洗濯機が既に脱水を開始している場合であって、かつ、現在時刻から前記延長された番組終了時刻までの時間が前記脱水時間と同じ又はそれよりも短い場合には、前記脱水開始情報生成部は、脱水開始時刻の再決定を行わないことが好ましい。
【００２５】
このように構成することにより、洗濯機が既に脱水を開始している場合であっても、脱水のやり直しができる段階である場合には脱水のやり直しを行わせることにより、視聴中のテレビ番組が終了しないうちに脱水が終了してしまうという事態を回避することができる。一方、脱水のやり直しができない段階である場合には、そのまま脱水を続けさせることとするのが合理的である。
【００２６】
本発明の洗濯機制御システムにおいては、前記脱水開始情報生成部は、前記洗濯機が既に脱水を開始している場合には、脱水開始時刻の再決定を行わないこととしてもよい。
【００２７】
このように、番組の途中で番組終了時刻が延長されたとしても、洗濯機が既に脱水を開始している場合には、わざわざ脱水を停止させることなくそのまま脱水させることとしてもよい。
【００２８】
本発明の映像機器は、視聴中の番組が終了する番組終了時刻を取得する番組終了時刻取得部、前記番組終了時刻から洗濯機における脱水時間を考慮して洗濯機における脱水開始時刻を決定するとともに前記脱水開始時刻に基づいて脱水開始情報を生成する脱水開始情報生成部及び前記脱水開始情報を洗濯機に対して送信する送信部を有することを特徴とする。
【００２９】
このため、本発明の映像機器を用いることによって、本発明の洗濯機制御システムを構成することができるようになる。
【００３０】
本発明の洗濯機は、脱水部、脱水開始情報を受信する受信部及び前記脱水開始情報に基づいて前記脱水部に脱水を開始させる制御部を有することを特徴とする。
【００３１】
このため、本発明の洗濯機を用いることによって、本発明の洗濯機制御システムを構成することができるようになる。
【００３２】
本発明の洗濯機制御方法は、視聴中の番組が終了する番組終了時刻から脱水時間を考慮して脱水開始時刻を決定し、前記脱水開始時刻になったら洗濯機に脱水を開始させることを特徴とする。
【００３３】
このため、本発明の洗濯機制御方法によれば、番組終了時刻から脱水時間を考慮して決定された脱水開始情報に基づいて脱水部に脱水を開始させることができるため、視聴中のテレビ番組が終了しないうちに脱水が終了してしまうことがなくなる。その結果、脱水が終了したばかりの衣服を干すことが可能になるため、乾燥後の衣服にしわが残ってしまい洗濯物の仕上がり品質が低下してしまうということがなくなり、本発明の目的が達成される。
【発明を実施するための最良の形態】
【００３４】
以下、本発明の洗濯機制御システム、映像機器、洗濯機及び洗濯機制御方法について、図に示す実施の形態に基づいて説明する。
【００３５】
〔実施形態１〕
図１は、実施形態１に係る洗濯機制御システム１００を説明するために示す図である。図２は、実施形態１に係る洗濯機制御システム１００のブロック図である。
【００３６】
実施形態１に係る洗濯機制御システム１００は、図１に示すように、テレビ番組を視聴中に洗濯をする場合に、視聴中のテレビ番組が終了しないうちに脱水が終了してしまうことがないようにして、乾燥後の衣服にしわが残ってしまい洗濯物の仕上がり品質が低下してしまうことのない洗濯機制御システムであって、映像機器としてのテレビジョン２００と、洗濯機３００と、これらをつなぐネットワーク４００とを備えた洗濯機制御システムである。
【００３７】
映像機器としてのテレビジョン２００は、図２に示すように、映像信号を受信する映像信号受信部２１０と、映像信号を処理する映像信号処理部２２０と、表示部２３０とを有するのに加えて、視聴中の番組が終了する番組終了時刻を取得する番組終了時刻取得部２４０と、番組終了時刻から洗濯機３００における脱水時間を考慮して洗濯機３００における脱水開始時刻を決定するとともに脱水開始時刻に基づいて脱水開始情報を生成する脱水開始情報生成部２５０と、脱水開始情報を洗濯機３００に対して送信する機能を有する送受信部２６０と、洗濯機の脱水時間を記憶する記憶部２７０とを有している。
【００３８】
洗濯機３００は、図２に示すように、衣服を洗濯したり脱水したりする洗濯・脱水部３１０と、映像機器から送信された脱水開始情報を受信する受信機能を有する送受信部３３０と、脱水開始情報に基づいて洗濯・脱水部３１０に脱水を開始させる制御部３２０とを有している。
【００３９】
図３は、実施形態１に係る洗濯機制御システム１００におけるテレビジョン２００の動作を説明するために示すフローチャートである。図４は、実施形態１に係る洗濯機制御システム１００における洗濯機３００の動作を説明するために示すフローチャートである。
【００４０】
まず、テレビジョン２００の動作を図３を用いて説明する。テレビジョン２００における番組終了時刻取得部２４０は、視聴中の番組が終了する番組終了時刻Ｔ１を映像信号処理部２２０から取得する（ステップＳ１１）。その後、脱水開始情報生成部２５０は、脱水時間ｔ１を記憶部２７０から取得する（ステップＳ１２）。その後、脱水開始情報生成部２５０は、番組終了時刻Ｔ１から脱水時間ｔ１を考慮して脱水開始情報を生成する。その後、送受信部２６０は、生成された脱水開始情報を洗濯機３００に対して送信する。
【００４１】
脱水開始情報の生成は、具体的には以下のようにして行う。すなわち、脱水開始情報生成部２５０は、番組終了時刻Ｔ１と現在時刻Ｔ２とから番組残り時間ｔ２（＝Ｔ１−Ｔ２）を算出し（ステップＳ１３）、番組残り時間ｔ２と脱水時間ｔ１とを比較する（ステップＳ１４）。
【００４２】
その結果、番組残り時間ｔ２が脱水時間ｔ１よりも長い場合には、脱水開始時刻Ｔ３（＝Ｔ１-ｔ１）を決定し、脱水開始時刻Ｔ３になったら送受信部２６０を介して脱水開始コマンドＣ１を脱水開始情報として洗濯機３００に対して送信する（ステップＳ１５）。一方、番組残り時間ｔ２が脱水時間ｔ１と同じ又はそれよりも短い場合には、送受信部２６０を介してすぐに脱水開始コマンドＣ１を脱水開始情報として洗濯機３００に対して送信する（ステップＳ１６）。
【００４３】
次に、洗濯機３００の動作を図４を用いて説明する。洗濯機３００の送受信部３３０は、テレビジョン２００の送受信部２６０から送信された脱水開始情報としての脱水開始コマンドＣ１を受信する（ステップＳ２１）。その後、制御部３２０は、送受信部３３０で受信した脱水開始コマンドＣ１に基づいて洗濯・脱水部３１０に脱水を開始させる（ステップＳ２２）。
【００４４】
以上説明したように、実施形態１に係る洗濯機制御システム１００及び洗濯機制御システム１００を用いた洗濯機制御方法によれば、番組終了時刻Ｔ１から脱水時間ｔ１を考慮して決定された脱水開始情報（脱水開始コマンドＣ１）に基づいて洗濯・脱水部３１０に脱水を開始させることができるため、視聴中のテレビ番組が終了しないうちに脱水が終了してしまうことがなくなる。その結果、脱水が終了したばかりの衣服を干すことが可能になるため、乾燥後の衣服にしわが残ってしまい洗濯物の仕上がり品質が低下してしまうということがなくなる。
【００４５】
また、実施形態１に係る洗濯機制御システム１００によれば、番組残り時間ｔ２が脱水時間ｔ１と同じ又はそれよりも短い場合には、すぐに脱水を開始する。その一方、番組残り時間ｔ２が脱水時間ｔ１よりも長い場合には、脱水開始時刻Ｔ３まで待ってから脱水を開始する。
【００４６】
また、実施形態１に係る洗濯機制御システム１００においては、テレビジョン２００は脱水時間を記憶する記憶部２７０をさらに有しているため、脱水開始時刻Ｔ３を決定する際に記憶部２７０からすぐに脱水時間ｔ１を取得できるようになるので、脱水開始時刻Ｔ３を迅速に決定することができる。
【００４７】
なお、テレビジョン２００における映像信号処理部２２０は、放送又はインターネット等を介して電子番組表（Electronic Program Guide）を予め取得しておき、この電子番組表又は受信している映像情報に基づいて、視聴中の番組が終了する番組終了時刻Ｔ１を取得する。
【００４８】
〔実施形態２〕
図５は、実施形態２に係る洗濯機制御システム１００におけるテレビジョン２００の動作を説明するために示すフローチャートである。
実施形態２に係る洗濯機制御システム１００（図示せず。）は、実施形態１に係る洗濯機制御システム１００と基本的には同じ構成を有しているが、番組終了時刻取得部２４０は、番組が延長された場合には延長された番組終了時刻Ｔ１を取得する機能をさらに有している点で、実施形態１に係る洗濯機制御システム１００の場合とは異なっている。
【００４９】
映像機器としてのテレビジョン２００においては、脱水開始情報生成部２５０は、番組が延長されたかどうかを確認する（ステップＳ３１）。そして、番組が延長されている場合には、延長された番組終了時刻Ｔ１から脱水時間ｔ１を逆算して得られる脱水開始時刻Ｔ３（＝Ｔ１-ｔ１）を再決定する（ステップＳ３２）。その後、洗濯機３００における洗濯・脱水部３１０が脱水中かどうかを確認する（ステップＳ３３）。そして、洗濯・脱水部３１０が脱水中である場合には、脱水停止コマンドＣ２及び給水コマンドＣ３を生成し（ステップＳ３４、ステップＳ３５）、送受信部２６０を介して洗濯機３００に対して順次送信する。その後、脱水開始情報生成部２５０は、脱水開始時刻Ｔ３になったら、送受信部２６０を介して洗濯機３００に対して脱水開始コマンドＣ１を送信する（ステップＳ３６（図３のステップＳ１５参照。））。
【００５０】
一方、ステップＳ３３で洗濯・脱水部３１０が脱水中でないと確認された場合には、脱水停止コマンドＣ２及び給水コマンドＣ３を生成せずに、先に決定された脱水開始時刻Ｔ３になったら、予定通り送受信部２６０を介して洗濯機３００に対して脱水開始コマンドＣ１を送信する（ステップＳ３６（図３のステップＳ１５参照。））。
【００５１】
ここで、番組が延長されていないことが最終的に確認される時期は、通常既に脱水開始時刻Ｔ３を経過して脱水開始情報生成部２５０が脱水開始コマンドＣ１を送信した後であり、場合によっては洗濯機３００が既に脱水を開始しているときでもある。このため、ステップＳ３１で番組が延長されていないと確認された場合には、脱水停止コマンドＣ２及び給水コマンドＣ３を生成したりもう１度脱水開始コマンドＣ１を送信したりすることなく、そのまま脱水を続けさせることとする。
【００５２】
このように、実施形態２に係る洗濯機制御システム１００によれば、番組終了時刻取得部２４０は、番組が延長された場合には延長された番組終了時刻Ｔ１を取得する機能をさらに有しているため、番組の途中で番組終了時刻が延長されるような場合であっても、延長された番組終了時刻Ｔ１に基づいて適切な洗濯機制御を行うことができるため、視聴中のテレビ番組が終了しないうちに脱水が終了してしまうことがなくなり、乾燥後の衣服にしわが残ってしまい洗濯物の仕上がり品質が低下してしまうことのない洗濯機制御システムとなる。
【００５３】
また、実施形態２に係る洗濯機制御システム１００によれば、脱水開始情報生成部２５０は、洗濯機３００がまだ脱水を開始していない場合には、延長された番組終了時刻Ｔ１から脱水時間ｔ１を逆算して得られる時刻を脱水開始時刻Ｔ３として再決定することとしているため、視聴中のテレビ番組が終了しないうちに脱水が終了してしまうことがなくなり、乾燥後の衣服にしわが残ってしまい洗濯物の仕上がり品質が低下してしまうことのない洗濯機制御システムとなる。
【００５４】
また、実施形態２に係る洗濯機制御システム１００によれば、洗濯機３００が既に脱水を開始している場合において、番組残り時間ｔ２が脱水時間ｔ１よりも長い場合には、送受信部２６０は、洗濯機３００に対して脱水開始コマンドＣ１を送信するのに先立って、脱水開始情報生成部２５０で生成された脱水停止コマンドＣ２及び給水コマンドＣ３を順次送信することとしているため、円滑な脱水のやり直しが可能になる。一方、番組残り時間ｔ２が脱水時間ｔ１と同じ又はそれよりも短い場合には、脱水のやり直しをする時間が足らないため、脱水開始情報生成部２５０は、脱水開始時刻Ｔ３の再決定を行わないこととしている。
【００５５】
なお、実施形態２に係る洗濯機制御システム１００は、これ以外の点では実施形態１に係る洗濯機制御システム１００と同様の構成を有しているため、実施形態１に係る洗濯機制御システム１００の場合と同様の効果を有する。
【００５６】
〔実施形態３〕
図６は、実施形態３に係る洗濯機制御システム１００におけるテレビジョン２００の動作を説明するために示すフローチャートである。
【００５７】
実施形態３に係る洗濯機制御システム１００（図示せず。）は、実施形態２に係る洗濯機制御システム１００と基本的には同じ構成を有しているが、脱水開始情報生成部２５０の動作が、実施形態２に係る洗濯機制御システム１００の場合とは異なっている。
すなわち、実施形態３に係る洗濯機制御システム１００においては、図６に示すように、脱水開始情報生成部２５０（図示せず。）は、洗濯機３００が既に脱水を開始している場合には、延長された番組残り時間ｔ２と脱水時間ｔ１との長短に関わらず、脱水開始時刻Ｔ３の再決定を行わないこととしている。
【００５８】
このため、実施形態３に係る洗濯機制御システム１００によれば、番組の途中で番組終了時刻Ｔ１が延長されたとしても、洗濯機３００が既に脱水を開始している場合には、わざわざ脱水を停止させることなくそのまま脱水させることとすることにより、動作の手順がシンプルでわかりやすいものとなる。
【００５９】
なお、実施形態３に係る洗濯機制御システム１００は、これ以外の点では実施形態２に係る洗濯機制御システム１００と同様の構成を有しているため、実施形態２に係る洗濯機制御システム１００の場合と同様の効果を有する。
【００６０】
〔実施形態４〕
図７は、実施形態４に係る洗濯機制御システム１００におけるテレビジョン２００の動作を説明するために示すフローチャートである。図８は、実施形態４に係る洗濯機制御システム１００における洗濯機３００の動作を説明するために示すフローチャートである。
【００６１】
実施形態４に係る洗濯機制御システム１００（図示せず。）は、実施形態１に係る洗濯機制御システム１００と基本的には同じ構成を有しているが、脱水開始情報生成部２５０の動作が、実施形態１に係る洗濯機制御システム１００の場合とは異なっている。
すなわち、実施形態４に係る洗濯機制御システム１００においては、脱水開始情報生成部２５０（図示せず。）は、脱水開始時刻Ｔ３になったら脱水開始コマンドＣ１を送信するのではなく、脱水開始時刻Ｔ３そのものの情報を送受信部２６０を介して洗濯機３００に送信することとしている。
【００６２】
このように、実施形態４に係る洗濯機制御システム１００は、脱水開始情報生成部の動作が、実施形態１に係る洗濯機制御システム１００の場合とは異なっているが、実施形態１に係る洗濯機制御システム１００の場合と同様に、番組終了時刻Ｔ１から脱水時間ｔ１を考慮して決定された脱水開始情報（この場合、脱水開始時刻Ｔ３）に基づいて洗濯・脱水部３１０に脱水を開始させることができるため、視聴中のテレビ番組が終了しないうちに脱水が終了してしまうことがなくなる。その結果、視聴中のテレビ番組が終了してから衣服の脱水を行ったとしても、脱水が終了したばかりの衣服を干すことが可能になるため、乾燥後の衣服にしわが残ってしまい洗濯物の仕上がり品質が低下してしまうということがなくなる。
【００６３】
なお、実施形態４に係る洗濯機制御システム１００は、これ以外の点では実施形態１に係る洗濯機制御システム１００と同様の構成を有しているため、実施形態１に係る洗濯機制御システム１００の場合と同様の効果を有する。
【００６４】
以上、本発明のプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。 
【００６５】
上記各実施形態の洗濯機制御システム１００においては、映像機器としてテレビジョン２００を例示して説明したが、本発明はこれに限定されるものではなく、チューナ、ＤＶＤ、ＶＴＲ、ＰＣ等においても同様に適用できる。
また、上記各実施形態に係る洗濯機制御システムにおいては、映像機器としてのテレビジョン２００における映像信号処理部２２０は、上記したように、放送又はインターネット等を介して電子番組表（Electronic Program Guide）を予め取得しておき、この電子番組表又は受信している映像情報に基づいて、視聴中の番組が終了する番組終了時刻Ｔ１を取得することとしているが、例えばＤＶＴやＶＴＲの場合には、再生時間から再生終了時刻を取得することにより番組終了時刻Ｔ１を取得することが可能である。
【００６６】
上記各実施形態の洗濯機制御システム１００においては、脱水時間ｔ１を予め記憶部２７０に記憶させておき、脱水開始時刻Ｔ３を決定する際などに、記憶部２７０から脱水時間ｔ１を取得するようにしていたが、本発明はこれに限定されるものではない。例えば、脱水開始時刻Ｔ３を決定する際などに、洗濯機３００から都度脱水時間ｔ１を取得するようにしてもよい。
【００６７】
上記各実施形態の洗濯機制御システム１００においては、映像機器の送受信部及び洗濯機の送受信部は、専用の有線又は無線の送受信システムとして構成してもよいし、汎用のネットワークを介した送受信システムとしてもよい。後者の場合、電灯線を介したネットワークとすることが配線の容易の観点から好ましい。
【図面の簡単な説明】
【００６８】
【図１】実施形態１に係る洗濯機制御システム１００を説明するために示す図。
【図２】実施形態１に係る洗濯機制御システム１００のブロック図。
【図３】実施形態１に係る洗濯機制御システム１００における映像機器２００の動作を説明するために示すフローチャート。
【図４】実施形態１に係る洗濯機制御システム１００における洗濯機３００の動作を説明するために示すフローチャート。
【図５】実施形態２に係る洗濯機制御システム１００における映像機器２００の動作を説明するために示すフローチャート。
【図６】実施形態３に係る洗濯機制御システム１００における映像機器２００の動作を説明するために示すフローチャート。
【図７】実施形態４に係る洗濯機制御システム１００における映像機器２００の動作を説明するために示すフローチャート。
【図８】実施形態４に係る洗濯機制御システム１００における洗濯機３００の動作を説明するために示すフローチャート。
【符号の説明】
【００６９】
１００…洗濯機制御システム、２００…テレビジョン、２１０…映像信号受信部、２２０…映像信号処理部、２３０…表示部、２４０…番組終了時刻取得部、２５０…脱水開始情報生成部、２６０…（映像機器の）送受信部、２７０…記憶部、３００…洗濯機、３１０…洗濯・脱水部、３２０…制御部、３３０…（洗濯機の）送受信部
【図１】
2006288853.tif 000003
【図２】
2006288853.tif 000004
【図３】
2006288853.tif 000005
【図４】
2006288853.tif 000006
【図５】
2006288853.tif 000007
【図６】
2006288853.tif 000008
【図７】
2006288853.tif 000009
【図８】
2006288853.tif 000010